(57)【特許請求の範囲】
【請求項１】
選択により複数の設定画面を表示でき、前記複数の設定画面は、すべてのメニュー内容に係る複数の必須項目を見渡すことが可能でかつ測定者の習熟度合いを考慮して前記必須項目が配列された初期設定画面と、選択操作によって表示される１以上の選択設定画面とを含んで成り、
表示画面には１つの前記設定画面が表示され、
前記表示画面に表示されたいずれの前記設定画面にも、設定上必要とされる複数の前記必須項目のタイトル表示が示されることを特徴とする超音波探傷器のメニュー表示装置。
【請求項２】
前記初期設定画面での必須項目の表示では重要度に応じて色分け表示がなされることを特徴とする請求項１記載の超音波探傷器のメニュー表示装置。
【請求項３】
前記初期設定画面で、重要度が高い必須項目にはタイトル表示に対し内容表示が付加されて詳細拡大表示となっていることを特徴とする請求項１記載の超音波探傷器のメニュー表示装置。
【請求項４】
前記初期設定画面で、習熟度が高い測定者に対応させた重要度が低い必須項目はタイトル表示のみの簡略縮小表示となっていることを特徴とする請求項１記載の超音波探傷器のメニュー表示装置。
【請求項５】
いずれかの前記設定画面で、前記簡略縮小表示となっているタイトル表示に対して選択操作を行うと、タイトル表示に対し内容表示が付加されて詳細拡大表示に変更され、他の設定画面に切り換えられることを特徴とする請求項４記載の超音波探傷器のメニュー表示装置。
【請求項６】
いずれの前記設定画面でも、必須項目の少なくとも１項目は詳細拡大表示の状態にあることを特徴とする請求項１記載の超音波探傷器のメニュー表示装置。
【請求項７】
前記複数の必須項目は、「条件設定」、「測定」、「機能設定」、「評価ソフト」であることを特徴とする請求項１〜６のいずれか１項に記載の超音波探傷器のメニュー表示装置。
【請求項８】
前記「測定」の項目は、いずれの前記設定画面でも詳細拡大表示の状態にあることを特徴とする請求項７記載の超音波探傷器のメニュー表示装置。
【請求項９】
詳細拡大表示された必須項目で、複数の頁を含むとき、すべての頁が表示されることを特徴とする請求項３記載の超音波探傷器のメニュー表示装置。
【請求項１０】
詳細拡大表示された必須項目は、設定画面上、最上位の位置に表示されることを特徴とする請求項３または９記載の超音波探傷器のメニュー表示装置。
【請求項１１】
詳細拡大表示状態の前記「測定」の項目は、測定基本画面で常に表示されることを特徴とする請求項７記載の超音波探傷器のメニュー表示装置。
【発明の詳細な説明】
【０００１】
【発明の属する技術分野】
本発明は超音波探傷器のメニュー表示装置に関し、特に、初心者から熟練者までその操作習熟度に応じて良好に超音波探傷器を操作できる超音波探傷器のメニュー表示装置に関する。
【０００２】
【従来の技術】
従来の超音波探傷器の表示装置では、表示画面上に、送信波の波形や測定結果である反射波の波形が表示される。測定を行う前には測定を適切に行うため測定条件を設定することが必要である。測定条件としては、探触子の設定、ゲート調整、ゼロ点調整等がある。これらの測定条件を、実行しようとする測定に即して設定することにより、適切な測定が行える。従来の測定条件の設定方式では、表示画面に示された条件設定項目等を参照しながら超音波探傷器の操作面に設けられた複数の各種操作キーを操作することによって行われた。
【０００３】
【発明が解決しようとする課題】
超音波探傷器を利用して測定を行う測定者に関して、実際には測定者の経験がそれぞれ異なり、初心者から熟練者まで操作習熟度に関し各種レベルの測定者がいる。ところが、従来の超音波探傷器における測定条件の設定方式では、どの測定レベルの測定者に対しても構成的に同じであり、測定者のレベルを考慮して差異が生じるように装置が作られておらず、初心者にとっても熟練者にとっても使いづらいものであった。
【０００４】
本発明の目的は、上記の問題を解決することにあり、超音波探傷器の測定条件の設定において、測定者のレベルに応じて条件設定を行うことができ、初心者にとっては操作しやすく、熟練者にとっても高いレベルでの測定操作を行うことができる超音波探傷器のメニュー表示装置を提供することにある。
【０００５】
【課題を解決するための手段および作用】
本発明に係る第１の超音波探傷器のメニュー表示装置（請求項１に対応）は、上記目的を達成するために、選択により複数の設定画面を表示できるもので、これらの設定画面は、すべてのメニュー内容に係る複数の必須項目を見渡すことが可能でかつ測定者の習熟度合いを考慮して必須項目が配列された初期設定画面と、選択操作によって表示される１以上の選択設定画面とを含んで成り、さらに、表示画面には１つの設定画面が表示され、かつ表示画面に表示されたいずれの設定画面にも、設定上必要とされる複数の必須項目のタイトル表示が示されるように構成されている。
【０００６】
上記第１の発明の構成では、初期設定画面においてすべてのメニュー内容（設定対象である必須の項目）を見渡すことが可能であり、かつこのメニュー内容では初級者、中級者、上級者の測定者の習熟度合いを考慮して配列され、操作性の観点から良好な配列になっている。
【０００７】
本発明に係る第２の超音波探傷器のメニュー表示装置（請求項２に対応）は、上記第１の発明構成において、上記初期設定画面での必須項目の表示では重要度に応じて色分け表示がなされる。重要度に応じて色分けされることにより視認性が向上し、操作性を高めることが可能となる。
【０００８】
本発明に係る第３の超音波探傷器のメニュー表示装置（請求項３に対応）は、上記第１の発明構成において、上記初期設定画面で、重要度が高い必須項目にはタイトル表示に対し内容表示が付加されて詳細拡大表示となっていることを特徴とする。特に初級者にとっては、必須項目が何であるかを即座に知ることができ、かつ必須項目の中のメニュー内容のすべてを容易に知ることができるので、操作の上で安心感を与えることが可能となる。
【０００９】
本発明に係る第４の超音波探傷器のメニュー表示装置（請求項４に対応）は、上記第１の発明構成において、上記初期設定画面で、習熟度が高い測定者に対応させた重要度が低い必須項目はタイトル表示のみの簡略縮小表示となっていることを特徴とする。中級者や上級者にとっては最初から詳細な表示は必要なく、設定の必須項目として用意されていることを確認できるだけでよい。
【００１０】
本発明に係る第５の超音波探傷器のメニュー表示装置（請求項５に対応）は、上記第４の発明構成において、いずれかの上記設定画面で、簡略縮小表示となっているタイトル表示に対して選択操作を行うと、タイトル表示に対し内容表示が付加されて詳細拡大表示に変更され、他の設定画面に切り換えられることを特徴とする。かかる構成によれば、設定を行うときに、選択行為によって必要な必須項目を詳細拡大表示することができ、設定操作の操作性を高められる。
【００１１】
本発明に係る第６の超音波探傷器のメニュー表示装置（請求項６に対応）は、上記第１の発明構成において、いずれの上記設定画面でも、必須項目の少なくとも１項目は詳細拡大表示の状態にあることを特徴とする。
【００１２】
本発明に係る第７の超音波探傷器のメニュー表示装置（請求項７に対応）は、上記の各発明構成において、好ましくは上記複数の必須項目は「条件設定」、「測定」、「機能設定」、「評価ソフト」であることを特徴とする。
【００１３】
本発明に係る第８の超音波探傷器のメニュー表示装置（請求項８に対応）は、上記第７の発明構成において、好ましくは上記「測定」の項目はいずれの設定画面でも詳細拡大表示の状態にある。
【００１４】
本発明に係る第９の超音波探傷器のメニュー表示装置（請求項９に対応）は、上記第３の発明構成において、好ましくは詳細拡大表示された必須項目で、複数の頁を含むとき、すべての頁が表示されることを特徴とする。
【００１５】
本発明に係る第１０の超音波探傷器のメニュー表示装置（請求項１０に対応）は、上記第３または第９の発明構成において、好ましくは、詳細拡大表示された必須項目は、設定画面上、最上位の位置に表示されることを特徴とする。
【００１６】
本発明に係る第１１の超音波探傷器のメニュー表示装置（請求項１１に対応）は、上記第７の発明構成において、好ましくは、詳細拡大表示状態の「測定」の項目は、測定基本画面で常に表示されることを特徴とする。
【００１７】
【発明の実施の形態】
以下に、本発明の好適な実施形態を添付図面に基づいて説明する。
【００１８】
図１は本発明に係るメニュー表示装置を備えた超音波探傷器の外観図を示し、図２は表示部と操作面を備えた超音波探傷器の正面図を示す。本実施形態の超音波探傷器は携帯型のものである。これらの図において、超音波探傷器１０は、超音波を利用した検査を行う装置本体１１と、装置本体１１を取付けて据え置くための支持筐体１２とから構成されている。
【００１９】
支持筐体１２は例えば金属板を用いて箱状に形成され、装置本体１１を支持するのに必要な強度を備えている。支持筐体１２は、手前部分に装置本体１１を取り付けるための開口部を有している。また支持筐体１２の両側壁の間には、開口部に近い箇所で回転自在な取手１３が設けられている。この取手１３は、設置型で使用するときに支柱としての働きを有している。
【００２０】
装置本体１１の正面部には液晶で作られた表示部２１が設けられている。表示部２１の液晶として例えばＴＦＴを利用し、好ましくは横長に形成され、カラー大画面として作られる。表示部２１には測定で得られたエコー波形等が表示される。表示部２１の周囲には、測定の際に用いられる各種の複数の操作キー２２、電源スイッチ２３、ブザー２４、ＬＥＤ２５、入力端子２６、出力端子２７などが設けられている。装置本体１１の上部には携帯用バンドを取り付けるための掛止部２８が両側の２箇所に設けられている。なお図２では、後の動作説明で用いるため、複数の操作キー２２のうちｆ１ファンクションキーを２２ａ、クリアキー（ＣＬＲ）を２２ｂ、セットキー（ＳＥＴ）を２２ｃ、４つの移動キーを２２ｄとして、それぞれ異なる符号を付している。
【００２１】
上記装置本体１１内にはメイン基板が内蔵され、このメイン基板上には、超音波測定を実行する目的で各種の制御処理および信号処理等を行う電気回路部が設けられている。図３は当該電気回路部３０のシステム構成を示す。この電気回路部３０は、超音波の発信・受信の制御、測定データの演算・処理、表示部２１の表示内容の制御等を実行するＭＰＵ３１を含んでいる。このＭＰＵ３１と入力部および出力部との間には入出力制御回路３２が介設される。入出力制御回路３２は、ＭＰＵ３１の指令を受けて入力部または出力部を制御する。入力部としてはキースイッチ３３が含まれる。このキースイッチ３３は前述の各種の操作キー２２，２２ａ〜２２ｄに対応し、実際には複数のキースイッチが備えられる。また出力部としては、例えばパルサ３４、レシーバ３５、さらに前述のＬＥＤ２５やブザー２４等が含まれる。
【００２２】
入出力制御回路３２から出力された超音波出射信号はパルサ３４に供給され、パルサ３４は探触子３６に対してパルス信号を出力する。探触子３６は圧電素子を含み、圧電変換作用でパルス信号を超音波３７に変換する。当該超音波３７は被検体３８の内部に出射される。被検体３８の内部に欠陥があると、そこで超音波の反射波すなわち欠陥エコーが発生し、探触子３６に戻る。欠陥エコーは探触子３６で電気的エコー信号に変換される。このエコー信号はレシーバ３５に供給される。レシーバ３５では、入出力制御回路３２からの制御信号を受けてゲイン（増幅率）等が設定される。レシーバ３５で取り出されたエコー信号（波形信号）はＡ／Ｄ変換器３９でアナログ信号からディジタル信号に変換され、波形メモリ４０に記憶される。
【００２３】
操作キーの操作に対応して複数のキースイッチ３３を通して入力される各種の操作信号は入出力制御回路３２に入力される。各種のキースイッチ３３のオン・オフ動作によって測定に関する各種の指令が入力制御回路３２を経由してＭＰＵ３１に与えられる。複数のキースイッチ３３による指示内容としては、例えばゲインの設定、パルスやゲートの位置、ゲート幅、波形の拡大、ピーク保持、表示部２１の画面表示内容の変更等がある。また入出力制御回路３２は、ＬＥＤ２５やブザー２４を駆動し、測定操作者に必要なメッセージを提供する。
【００２４】
測定データの演算・処理等を行うＭＰＵ３１に対して、前述の波形メモリ４０と、さらにタイミング回路４１、ＲＯＭ４２、ＲＡＭ４３、表示部コントローラ４４とがバス４５を経由して接続されている。タイミング回路４１は、パルサ３４の出力動作とＡ／Ｄ変換器３９の変換動作と波形メモリ４０の記憶動作のタイミングを調整する。ＲＯＭ４２の中には、ＭＰＵ３１において各種機能部を形成するためのプログラムが格納されている。本実施形態では、ＲＯＭ４２に、初期設定部を形成するプログラム４２ａ、波形表示部を形成するプログラム４２ｂ、メニュー表示部を形成するプログラム４２ｃ、パラメータ設定部を形成するプログラム４２ｄ、演算部（欠陥の深さの演算等）を形成するプログラム４２ｅ、周辺機器制御部を形成するプログラム４２ｆが格納されている。ＭＰＵ３１は、ＲＯＭ４２に格納されたプログラムを読み出して必要な機能部を実現する。ＭＰＵ３１は、例えば、プログラム４２ｂを実行して表示部２１に波形表示部を形成し、プログラム４２ｅを実行して波形メモリ４０に記憶された測定波形データを処理して画像信号および制御信号等を作成し、ＲＡＭ４３にデータを一時保存しながら表示部コントローラ４４に送る。表示部コントローラ４４は画像信号等、すなわち画像表示のための信号に基づいて表示部２１の画像内容を制御する。表示部２１は液晶表示部である。
【００２５】
次に、主にプログラム４２ａによって形成される初期設定部およびプログラム４２ｃによって形成されるメニュー表示部により構成されるメニュー表示装置の動作について説明する。メニュー表示装置の動作は、図４と図５に示されたフローチャート、図６〜図１０に示された画面を参照して説明される。
【００２６】
図６は表示部２１に表示される基本画面の構成例を示す。表示部２１では、通常、基本画面５１が表示される。基本画面５１は、大きく４つの領域５１ａ，５１ｂ，５１ｃ，５１ｄに分けられる。領域５１ａは超音波測定により得られた各種の波形を表示する領域、領域５１ｂは「測定」に関する項目を表示するライン（行）状の領域、領域５１ｃはパラメータ設定メニューであり設定された各種のパラメータデータを表示する領域、領域５１ｄは担当者や日付、メッセージ等の関連情報を表示する領域である。
【００２７】
表示部２１において基本画面５１が表示された状態で、前述のｆ１ファンクションキー２２ａを押したとする。図４に示したフローチャートでは、判断ステップＳ１１でｆ１ファンクションキー２２ａが押されたか否かが判定される。判断ステップＳ１１でｆ１ファンクションキー２２ａが押された（ＹＥＳ）と判定されると、表示部２１の表示内容は図７に示すメニュー１の画面６１（以下メニュー１画面６１という）となる（ステップＳ１２）。メニュー１画面６１ではメニュー内容の一覧が表示される。メニュー１画面６１は測定に関わる設定項目のメニューである。メニュー１画面６１は初期設定画面である。メニュー１画面６１では、ラインカーソル（斜線で示す）６５が前回と同じ位置に表示されている（ステップＳ１３）。この場合ラインカーソル６５は条件設定１の１ライン分に位置している。図７では、便宜上、ラインカーソル６５を斜線で示しているが、実際の画面では特定の色で表示されている。他方、判断ステップＳ１１でｆ１ファンクションキー２２ａが押されていない（ＮＯ）場合には、基本画面５１が維持され、パラメータ設定メニュー（領域５１ｃ）が維持されることになる（ステップＳ１４）。パラメータ設定メニューに関する動作については図５を参照して後述される。
【００２８】
なお図６の領域５１ｃにおけるパラメータ設定メニューの表示において、「ゲイン」は感度（増幅度）の意味であり、「ビーム路程」は超音波の伝播距離（音速、伝播時間から計算）の意味であり、「エコー高さ」は欠陥（傷）から反射してきた超音波波形の高さの意味であり、「Ｙ」は斜角探傷時の探触子・欠陥の（表面）距離の意味であり、「ｄ」は斜角探傷時の欠陥深さの意味である。
【００２９】
ステップＳ１２，Ｓ１３の実行で表示されたメニュー１画面６１では、左端縦欄に、上から順次に、「測定」の項目、「条件設定」１，２の項目、「機能設定」の項目、「評価ソフト」の項目がライン単位（行単位）で表示されている。条件設定１は条件設定の項目の第１頁を意味し、条件設定２は条件設定の項目の第２頁を意味する。「測定」、「条件設定」、「機能設定」、「評価ソフト」の各項目は、測定に関する設定の上で必須な項目であり、そのタイトルを表示するものである。実際上、設定項目として「測定」、「条件設定」、「機能設定」、「評価ソフト」の各項目にはランクがあり、「測定」と「条件設定」は初級者用の設定項目であり、「機能設定」は中級者用の設定項目であり、「評価ソフト」は上級者用の設定項目である。実際の表示画面では、簡単に判別できるように、好ましくは重要度に応じて設定項目ごとに色を異ならせて表示している。例えば初級者用の設定項目には黄色、中級者用の設定項目には赤色、上級者用の設定項目には紫色、さらに初心者用には青色が用いられる。
【００３０】
またメニュー１画面６１では、測定の項目や条件設定１および条件設定２の項目のごとき重要度の高い必須項目に関して、その内容が右側に詳細に表示され、拡大された表示となっている。これに対して、メニュー１画面６１で、機能設定の項目と評価ソフトの項目では、習熟度の高い測定者に対応して重要度が低い必須項目であるので、主にタイトル表示のみとし、簡略した縮小表示となっている。以上のごとく、初期設定画面であるメニュー１画面６１では、初級者用の重要度の高い必須の設定項目は予め上段位置に配置され、かつ詳細拡大表示として表示されると共に、中級者や上級者用の重要度の低い設定項目は下段に位置しかつ簡略縮小表示として表示される。
【００３１】
上記の構成によれば、メニュー内容の全部が見えかつ色分け表示されているので、メニュー画面の視認性が良好となり、メニュー内容の選択操作が容易になる。特に、初級者にとっては、重要度の高い必須設定項目が最初から詳細拡大表示となっているため、容易に設定行うことができる。詳細拡大表示された項目に関して設定を行えばよい。これに対して中級者や上級者は、再度ｆ１ファンクションキー２２ａを押してラインカーソル６５を移動させ、設定しようとする項目にラインカーソル６５を位置合わせし、選択する。
【００３２】
なお測定の項目における内容も詳細欄に明示される。この詳細欄の表示において、例えば、「重ね書き」はリアルタイム波形とセーブ波形の重ね書き表示の意味であり、「エコー高さ区分線」はデータ（波形）を評価するための領域区分線の意味である。
【００３３】
次に、ラインカーソル６５を移動させ、他の項目を選択する動作を説明する。判断ステップＳ１５ではクリアキー２２ｂが押されたか否かが判定される。判断ステップＳ１５でクリアキー２２ｂが押されないとき（ＮＯ）には判断ステップＳ１６に移る。判断ステップＳ１６ではセットキー２２ｃが押されたか否かが判定される。セットキー２２ｃが押されないとき（ＮＯ）には判断ステップＳ１７に移る。判断ステップＳ１７では、その後ｆ１ファンクションキー２２ａが押されたか否かが判定される。ｆ１ファンクションキー２２ａが１回押されると、前述のラインカーソル６５は下方に１ライン分移動する。この動作は、フローチャートでは、判断ステップＳ１７でＹＥＳと判定されたときに、判断ステップＳ１８でラインカーソル６５の位置が最下部にあるか否かが判定され、最下部にないとき（ＮＯ）にはラインカーソル６５を一段下に移動させる（ステップＳ２０）。その後、処理フローは判断ステップＳ１５の所まで戻る。判断ステップＳ１８で、ラインカーソル６５が、図７に示されたメニュー１画面６１にて最下段にあるとき（ＹＥＳ）には、ラインカーソル６５は最上段に移動させる（ステップＳ１９）。その後の処理フローも判断ステップＳ１５の所まで戻る。判断ステップＳ１５，Ｓ１６の両方でＮＯであって、判断ステップＳ１７でＹＥＳすなわちｆ１ファンクションキー２２ａが押されるときには、その度にラインカーソル６５が下方向に移動する。そして最下段に到達した場合には、最上段に移動する。従って、ｆ１ファンクションキー２２ａは、メニュー１画面６１においてラインを選択するときの操作キーとして使用される。測定者は、ｆ１ファンクションキー２２ａを操作することによって、設定しようとする項目のラインにラインカーソル６５を位置合わせすることができる。
【００３４】
上記の処理フローのループにおいて、メニュー１画面６１でラインカーソル６５が所望の設定項目のラインに位置合わせしたとき、セットキー２２ｃを押すと当該設定項目を選択することができる。このとき判断ステップＳ１６ではＹＥＳとなって、処理フローは判断ステップＳ２１に移る。判断ステップＳ２１では、下位の階層（他の頁部分）があるか否かが判定され、ＹＥＳのときには、選択した設定項目を下位層と共に開いて上段に詳細拡大表示を行い、かつ上段に詳細拡大表示されていた設定項目を閉じ、簡略縮小表示にて下段に表示する（ステップＳ２２）。こうして表示部２１において新しいメニュー画面（設定画面）が表示される。このとき新しいメニュー画面で、ラインカーソル６５は最上段のラインに配置される（ステップＳ２３）。その後、処理フローは判断ステップＳ１７に移る。上記判断ステップＳ２１でＮＯの場合には、ステップＳ２４に移る。ステップＳ２４では、基本画面５１に戻り、ラインカーソル６５が位置する設定項目のラインの内容が、基本画面５１の下部のファンクションメニュー（領域５１ｂ）に表示される。
【００３５】
図８に示したメニュー画面は、条件設定についてのメニュー２の設定画面６２（以下メニュー２画面６２という）である。このメニュー２画面６２は、メニュー１画面６１においてラインカーソル６５を条件設定の項目に位置合わせし、選択することにより得られる。メニュー２画面６２では、条件設定１および２の項目が上段に、次いで測定の項目、機能設定の項目、評価ソフトの項目となっている。なお条件設定の項目における内容は、その第１頁および第２頁の詳細欄に明示される。この詳細欄の表示において、例えば、「探触子」は超音波センサの意味であり、「ゼロ点」は波形メモリ上の横軸（距離）の原点の意味であり、「基準感度」は測定時に基準となる感度の意味であり、「ゲート」は波形の選択やアラームに使用されるものであり、「計測点選択」は路程（距離）を計測するポイントの選択の意味であり、「エコー高さ表示選択」はデータの表示単位選択（ｄＢまたは％）の意味である。
【００３６】
図９に示したメニュー画面は、機能設定についてのメニュー３の設定画面６３（以下メニュー３画面６３という）である。このメニュー３画面６３は、メニュー１画面６１においてラインカーソル６５を機能設定の項目に位置合わせし、選択することにより得られる。メニュー３画面６３では、機能設定の項目が上段に位置しかつ第１頁〜第５頁まで開かれ、詳細拡大表示にて表示されている。一方、メニュー１画面６１において上段にあった条件設定１と条件設定２の項目は閉じ、簡略縮小表示にて下段に１ライン分で表示される。このメニュー３画面６３において、機能の設定が適宜に行われる。
【００３７】
機能設定の項目における内容は、その詳細欄の表示で、例えば、「検波選択」は検出波形の選択（＋側半波、−側半波、全波、ＲＦ波形）を意味し、「ダンピング調整」は探傷器の入力インピーダンスの調整を意味し、「パルス幅の調整」は打出すパルス幅の調整を意味し、「ＤＡＣ」は超音波の減衰を補正する機能を意味し、「リジェクション」は一定レベル以下のノイズ波形を表示しない機能を意味し、「ボーレート」はパソコンへの通信速度を意味している。
【００３８】
図１０に示したメニュー画面は、評価ソフトについてのメニュー４の設定画面６４（以下メニュー４画面６４という）である。このメニュー４画面６４は、メニュー１画面６１においてラインカーソル６５を評価ソフトの項目に位置合わせし、選択することにより得られる。メニュー４画面６４では、評価ソフトの項目が上段に位置しかつ詳細拡大表示にて表示されている。一方、メニュー１画面６１で上段にあった条件設定１と条件設定２の項目は閉じ、簡略縮小表示にて下段に１ライン分で表示される。このメニュー４画面６４において、評価ソフトが適宜に設定される。
【００３９】
評価ソフトの項目における内容は、その詳細欄の表示で、例えば、「端部エコー法」はクラック（割れ欠陥）の端部から反射したエコーを用いてクラックの大きさを評価する手法であり、「距離補正法」は反射波形の高さから傷の大きさを評価する手法である。
【００４０】
メニュー３画面６３およびメニュー４画面６４においても同様にラインカーソル６５が表示され、メニュー１画面６１の場合と同様に位置合わせおよび選択動作を行うことが可能である。メニュー３画面６３およびメニュー４画面６４で、「測定」の項目は、上から第２位の位置にて詳細拡大表示の状態に保持されている。
【００４１】
上記のメニュー画面（設定画面）の構成によれば、基本設定画面であるメニュー１画面６１おいてメニュー内容の全体を見渡すことができ、かつ選択動作に寄与するラインカーソルは各設定項目のラインごとにシフトさせることができ、かつその動きはサイクリックである。上記メニュー画面のメニュー内容はツリー構造でかつ巡回構造となっている。また選択されたいずれのメニュー画面においてもその内容の全体を見渡すことができる。さらにラインカーソル６５によって選択された設定項目は、その下位に位置する内容を含めてすべてが階層構造で構築されており、選択動作によってすべての内容がメニュー画面に表示される。
【００４２】
図４に示されたフローチャートにおいて、表示部２１にメニュー１画面６１が表示された状態で、クリアキー２２ｂが押されると、判断ステップＳ１５でＹＥＳとなり、基本画面５１に戻り（ステップＳ２５）、終了する。このとき基本画面５１では、もとのメニューラインをファンクションメニュー（領域５１ｂ）に表示する。また判断ステップＳ１７で、ｆ１ファンクションキー２２ａが押されず、ＮＯであるときには、判断ステップＳ２６に移り、ここで他のファンクションキーが押されたか否かが判定される。判断ステップＳ２６でＹＥＳのときには、基本画面５１に戻り、ラインカーソル６５が位置する設定項目のラインの内容が、基本画面５１の下部のファンクションメニュー（領域５１ｂ）に表示され（ステップＳ２７）、その後、パラメータ設定メニュー（ステップＳ２８）に移る。また判断ステップＳ２６でＮＯであるときには、判断ステップＳ１５の箇所に戻る。
【００４３】
次に、図５のフローチャートを参照してパラメータ設定メニューについて説明する。基本画面５１が表示された状態では、その領域５１ｃにパラメータ設定メニューが表示される。測定者はいずれかのファンクションキーを操作する。ＭＰＵ３１の処理フローでは、ステップＳ３１で、押されたファンクションキーの番号を調べる。その結果、押されたファンクションキーに相当する項目のパラメータがパラメータ設定メニューに表示される（ステップＳ３２）。次の判断ステップＳ３３はセットキー２２ｃの操作状態に基づき数値を決定するか否かを判定する処理であり、判断ステップＳ３４はクリアキー２２ｂの操作状態で数値を元に戻すか否かを判定する処理である。判断ステップＳ３３，Ｓ３４でＮＯであるときには、判断ステップＳ３５で数値を設定する。パラメータの数値の設定は、前述の４つの操作キー（数字設定キー）２２ｄを操作することにより行われる。操作キー２２ｄが操作された（ＹＥＳ）と判定されると、パラメータの数値が変更される（ステップＳ３６）。数値の設定の間、ステップＳ３３〜Ｓ３６のループが繰り返される。セットキー２２ｃが操作された結果、判断ステップＳ３３でＹＥＳになると、数値が決定される（ステップＳ３７）。またクリアキー２２ｂが操作された結果、判断ステップＳ３４でＹＥＳになると、数値が元に戻される（ステップＳ３８）。ステップＳ３７，Ｓ３８のいずれの場合も、その後、パラメータ設定メニューは消される（ステップＳ３９）。また判断ステップＳ３５で、操作キー２２ｄが操作されず、ＮＯである場合には、判断ステップＳ４０でファンクションキーが操作された否かが判定される。同じ状態が維持される場合には、パラメータカーソルを所定状態に移動させて（ステップＳ４１）、ステップＳ３３に戻る。また他のファンクションキーの操作がない場合には、直接にステップＳ３３に戻る。他方、ファンクションキーの操作があった場合には、ｆ１ファンクションキーであるか否かを判定して（判断ステップＳ４２）、ＹＥＳのときにはメニュー一覧表示を行い（ステップＳ４３）、ＮＯのときには相当するパラメータ設定メニューを表示し（ステップＳ４４）、その後再びステップＳ３３に戻る。
【００４４】
【発明の効果】
以上の説明で明らかなように本発明によれば、メニュー画面において、測定者の習熟度を考慮して必須の設定項目を配列する共に、色分け等を利用して、その重要度が把握できると共に、初級者にとって重要な重要度の高い項目は上段位置にて詳細拡大表示され、上級者にとって必要な重要度の低い項目は下段位置にて簡略縮小表示されるようにしたため、超音波探傷器の測定条件の設定において、測定者のレベルに応じて条件設定を行うことができ、初級者にとっては操作しやすく、熟練者にとっても高いレベルでの測定操作を行うことができる。初期やその他の設定画面（メニュー画面）では、メニュー項目のすべてを見渡すことができ、視認性がよく、操作性を向上することができる。また各設定画面においてラインカーソルを操作することによって他の設定画面に簡単に移行でき、必要な項目を詳細拡大表示し、不要な項目を簡略縮小表示することができるので、扱いが非常に便利である。
【図面の簡単な説明】
【図１】本発明に係るメニュー表示装置が適用される超音波探傷器の外観図である。
【図２】超音波探傷器の正面図である。
【図３】電気回路部のシステム構成図である。
【図４】メニュー表示装置のメニュー画面の動作を示すフローチャートである。
【図５】パラメータ設定メニューの動作に関するフローチャートである。
【図６】基本画面の一例を示す図である。
【図７】メニュー画面の第１例を示す図である。
【図８】メニュー画面の第２例を示す図である。
【図９】メニュー画面の第３例を示す図である。
【図１０】メニュー画面の第４例を示す図である。
【符号の説明】
１０                                    超音波探傷器
１１                                    装置本体
１２                                    支持筐体
２１                                    表示部
２２                                    操作キー
２２ａ                                ｆ１ファンクションキー
２２ｂ                                クリアキー
２２ｃ                                セットキー
２２ｄ                                移動（数値設定）キー
【図１】
0003573324.tif 000002
【図２】
0003573324.tif 000003
【図３】
0003573324.tif 000004
【図４】
0003573324.tif 000005
【図５】
0003573324.tif 000006
【図６】
0003573324.tif 000007
【図７】
0003573324.tif 000008
【図８】
0003573324.tif 000009
【図９】
0003573324.tif 000010
【図１０】
0003573324.tif 000011